(57)【要約】【課題】ダイヤルの中央に配置された釦を押下しながら別のダイヤルを回した場合でも、ダイヤルの誤操作を防止する手法を提供すること。【解決手段】設定値を変更する第一の操作部材と、設定値を変更する第二の操作部材と、設定値を変更する第三の操作部材と、決定釦に所定の機能を割り当てる第一の設定手段と、設定値を変更する第三の操作部材に所定の機能を割り当てる第二の設定手段と、前記第三の操作部材が回された時、前記第一の操作部材の機能が前記第一の操作部材を押しながら前記第二の操作部材を回す機能が設定されていて、且つ前記第一の操作部材が押下されていた場合、前記第三の操作部材に割り当てられた機能を作動させないように制御する制御手段と、前記設定値を変更する前記第一の操作部材は、前記第三の操作部材の中央に配置された構成をもつことを特徴とする。【選択図】図３
2017005329.tif 000002
【特許請求の範囲】
【請求項１】
設定値を変更する第一の操作部材（２１２）と、
設定値を変更する第二の操作部材（２０２）と、
設定値を変更する第三の操作部材（２０３）と、
決定釦に所定の機能を割り当てる第一の設定手段（２５）と、
設定値を変更する第三の操作部材に所定の機能を割り当てる第二の設定手段（２５）と、
撮影モードを変更する変更手段（４０）と、
前記第三の操作部材が回された時、前記第一の操作部材の機能が前記第一の操作部材を押しながら前記第二の操作部材を回す機能が設定されていて、且つ前記第一の操作部材が押下されていた場合、前記第三の操作部材に割り当てられた機能を作動させないように制御する制御手段（４０）と、
前記設定値を変更する前記第一の操作部材は、前記第三の操作部材の中央に配置された構成をもつことを特徴とする撮像装置。
【請求項２】
前記第一の操作部材に割り当てられる機能は、押しながら前記第二の操作部材を回すことで露出補正を変更する機能であることを特徴とする請求項１に記載の撮像装置。
【請求項３】
前記第三の操作部材に割り当てられる機能は、回すことでＩＳＯ感度を変更する機能であることを特徴とする請求項１に記載の撮像装置。
【請求項４】
前記制御手段は、前記変更手段によって変更される撮影モードがマニュアルモード時である時に、制御を行うことを特徴とする請求項１に記載の撮像装置。
【請求項５】
設定値を変更する第一の操作部材（２１２）と、設定値を変更する第二の操作部材（２０２）と、設定値を変更する第三の操作部材（２０３）とを具備し、前記第一の操作部材は、前記第三の操作部材の中央に配置された構成をもつ撮像装置の制御方法であって、
決定釦に所定の機能を割り当てる第一の設定工程（２５）と、
前記第三の操作部材に所定の機能を割り当てる第二の設定工程（２５）と、
撮影モードを変更する変更工程（４０）と、
前記第三の操作部材が回された時、前記第一の操作部材の機能が前記第一の操作部材を押しながら前記第二の操作部材を回す機能が設定されていて、且つ前記第一の操作部材が押下されていた場合、前記第三の操作部材に割り当てられた機能を作動させないように制御する制御工程（４０）と、
とを有することを特徴とする撮像装置。
【請求項６】
前記制御手段は、前記変更手段によって変更される撮影モードがマニュアルモード時である時に、制御を行うことを特徴とする請求項５に記載の撮像装置。
【請求項７】
請求項５又は請求項６に記載の撮像装置の制御方法をコンピュータに実行させる為のコンピュータプログラム。
【発明の詳細な説明】
【技術分野】
【０００１】
本発明は、電子スチルカメラ等の撮像装置に関し、特に設定の誤操作を防止する制御方法に関するものである。
【背景技術】
【０００２】
近年、デジタルカメラが普及しユーザーの多様性が進んだことで、操作ボタンを自分好みに、カスタマイズすることの出来るカメラが増えてきている。その中には、ダイヤルを操作するだけで、ISO感度を変えることを可能にする機能や、決定釦を押しながら、上記とは別のダイヤルを操作することで、露出補正値を変えることを可能にする機能などもある。
【０００３】
しかし、決定釦がダイヤルの真ん中に配置されている場合、決定ボタンを押下しながら、上記とは別のダイヤルを操作しているつもりでも、決定釦を押下している指がずれるなどして、意図せずダイヤルがまわってしまうことがある。このような場合、ユーザーの意思とは無関係に設定が変わってしまうことになる。
【０００４】
このように、ユーザーの意図とは別に設定が変わってしまうような誤操作を防止する為の手法として、例えば、操作部材が操作された際、操作部から取得される変位量を元に、操作を有効にするか否かを決める、特許文献１のような手法や、カメラの姿勢によって、操作を有効にするか否かを決める、特許文献２のような手法が開示されている。
【先行技術文献】
【特許文献】
【０００５】
【特許文献１】特開２０１５−４１２７５号公報
【特許文献２】特開２０１３−５５４５２号公報
【発明の概要】
【発明が解決しようとする課題】
【０００６】
しかし、特許文献１の手法では、ユーザーが操作した部材とは異なる部材が変位していた場合に、操作を有効にするか否か、判断することが出来ず、また特許文献２の手法では、ダイヤルのように姿勢によらず操作したい場合に、問題が解決できない。
【０００７】
そこで、本発明の目的は、ダイヤルの中央に配置された釦の機能設定に依らず、ダイヤルの誤操作を防止する手法を提供することにある。
【課題を解決するための手段】
【０００８】
上記の目的を達成するために、本発明に係る撮像装置は、
設定値を変更する第一の操作部材と、設定値を変更する第二の操作部材と、設定値を変更する第三の操作部材と、決定釦に所定の機能を割り当てる第一の設定手段と、設定値を変更する第三の操作部材に所定の機能を割り当てる第二の設定手段と、前記第三の操作部材が回された時、前記第一の操作部材の機能が前記第一の操作部材を押しながら前記第二の操作部材を回す機能が設定されていて、且つ前記第一の操作部材が押下されていた場合、前記第三の操作部材に割り当てられた機能を作動させないように制御する制御手段と、前記設定値を変更する前記第一の操作部材は、前記第三の操作部材の中央に配置された構成をもつことを特徴とする。
【発明の効果】
【０００９】
本発明の撮像装置によれば、ダイヤルが不用意に動いて意図しない設定がされてしまうのを防ぐことが出来る。
【図面の簡単な説明】
【００１０】
【図１】本発明の第１実施形態としての撮像装置の構成ブロック図である。
【図２】(ａ)、(ｂ)は本発明の第１実施形態としての撮像装置の外観図である。
【図３】サブダイヤル機能を作動させるか否か判定するフローチャートである。
【図４】サブダイヤル機能を作動させるフローチャートである。
【図５】（ａ）は、決定釦の機能割り当てを行う為のＧＵＩ画面のイメージ図である。（ｂ）は、サブダイヤルの機能割り当てを行う為のＧＵＩ画面のイメージ図である。
【図６】ＩＳＯ感度設定を行う為の、遷移テーブルである。
【発明を実施するための形態】
【００１１】
以下に、本発明の好ましい実施の形態を、添付の図面に基づいて詳細に説明する。図１は本発明の一実施形態としての撮像装置２００の構成ブロック図である。
【００１２】
レンズユニット１００は、交換可能な撮影レンズを搭載するレンズユニットである。レンズ５は通常、複数枚のレンズから構成されるが、ここでは簡略して一枚のレンズのみで示している。通信端子６はレンズが撮像装置側と通信を行う為の通信端子であり、通信端子１０は撮像装置がレンズ側と通信を行う為の通信端子である。レンズユニット１００は、この通信端子６，１０を介してマイクロコンピュータ４０と通信し、内部のレンズシステム制御回路４によって絞り駆動回路２を介して絞り１の制御を行い、ＡＦ駆動回路３を介して、レンズ５の位置を変位させることで焦点を合わせる。また、マイクロコンピュータ４０は、この通信端子６，１０を介して、レンズユニット１００の開放絞り値、及び最小絞り値を取得する。
【００１３】
ＡＥセンサー１５は、レンズユニット１００を通した被写体の輝度を測光する。
【００１４】
ＡＦセンサー１１は、マイクロコンピュータ４０にデフォーカス量情報を出力する。マイクロコンピュータ４０はそれに基づいてレンズユニット１００を制御する。
【００１５】
クイックリターンミラー１２は、露光の際にマイクロコンピュータ４０から指示されて、不図示のアクチュエータによりアップダウンされる。
【００１６】
撮影者は、ペンタプリズム１４とファインダー１６を介して、フォーカシングスクリーン１３を観察することで、レンズユニット１００を通して得た被写体の光学像の焦点や構図の確認が可能となる。
【００１７】
フォーカルプレーンシャッター１７は、マイクロコンピュータ４０の制御で撮像素子２０の露光時間を自由に制御できるフォーカルプレーンシャッターである。
【００１８】
光学フィルター１８は一般的にローパスフィルターなどから構成され、フォーカルプレーンシャッター１７より入ってくる光の高周波成分をカットして、撮像素子２０に被写体像を導光する。
【００１９】
撮像素子２０は、一般的にＣＣＤやＣＭＯＳ等が用いられる撮像素子であり、レンズユニット１００を通して撮像素子２０上に結像された被写体象を光電変換して電気信号として取り込む。
【００２０】
ＡＭＰ回路２１は、取り込まれた電気信号に対して、設定されている撮影感度に応じたゲインで撮影信号を増幅する。
【００２１】
Ａ／Ｄ変換回路２２は撮像素子２０によって電気信号に変換されたアナログ信号をデジタル信号に変換する。
【００２２】
画像処理回路２３は、Ａ／Ｄ変換回路２２によってデジタル信号に変換された画像データに対して、フィルター処理、色変換処理、ガンマー／ニー処理を行い、メモリコントローラ２７に出力する。また、画像処理回路２３はＤ／Ａ変換回路も内蔵している。画像処理回路２３はＡ／Ｄ変換回路２２によってデジタル信号に変換された画像データやメモリコントローラ２７により入力される画像データをアナログ信号に変換して液晶駆動回路２４を介して液晶表示部２５に出力することもできる。これらの画像処理回路２３による画像処理及び表示処理は、マイクロコンピュータ４０により切り替えられる。また、マイクロコンピュータ４０は、撮影画像のカラーバランス情報をもとにホワイトバランス調整を行う。
【００２３】
液晶表示部２５は画像を表示するための背面モニタである。画像を表示するディスプレイであれば液晶方式に限らず、有機ＥＬなど他の方式のディスプレイであってもよい。
【００２４】
メモリコントローラ２７は、画像処理回路２３から入力された未処理の画像データをバッファメモリ２６に格納したり、或いは画像処理済みの画像データを記録媒体２８に格納したりする。また、逆にバッファメモリ２６や記録媒体２８から画像データを取り込んで画像処理回路２３に出力したりもする。また、メモリコントローラ２７は、外部インタフェース２９を介して送られてくる画像データを記録媒体２８に格納したり、逆に記録媒体２８に格納されている画像データを外部インタフェース２９を介して外部に出力することも可能である。外部インターフェースとしては、ＵＳＢ、ＩＥＥＥ、ＨＤＭＩ（登録商標）などのインターフェースが例として挙げられる。記録媒体２８は、メモリカードなどの着脱可能な記録媒体である。ただし内蔵メモリであってもよい。タイミング制御回路３２を介してマイクロコンピュータ４０は、撮像素子２０の駆動タイミングを制御する。
【００２５】
電源制御回路３５は、ＡＣ電源部３０、もしくは２次電池部３１より供給され電源を制御する回路である。電源制御回路３５はマイクロコンピュータ４０から指示を受けて電源のオンオフを行う。また電源制御回路３５は電源状態検知回路３４により検知された現在の電源状態の情報や電源種類検知回路３３により検知された現在の電源の種類の情報をマイクロコンピュータ４０に通知することも行う。
【００２６】
マイクロコンピュータ４０はシャッター制御回路３６を介してフォーカルプレーンシャッタ−１７を制御する。
【００２７】
光学フィルター振動制御回路３７は、光学フィルター１８に接続されている圧電素子１９を振動させる回路である。振動の振幅、振動時間、振動の軸方向をそれぞれ所定の値で圧電素子を振動させるように、マイクロコンピュータ４０の指示に従い振動させる。
【００２８】
不揮発性メモリ３８は不揮発性の記録媒体であり、ユーザーが任意に設定したシャッター速度、絞り値、撮影感度などの設定値やその他の各種データを撮像装置に電源が入れられていない状態でも、保存することができる。
【００２９】
揮発性メモリ３９は、撮像装置の内部状態や着脱可能な記録媒体２８の情報など、一時的に記憶しておきたいデータを保存しておく。
【００３０】
４１は、ファインダー内液晶表示部で、ファインダー内液晶駆動回路４２を介して、現在オートフォーカスが行われている測距点を示す枠や、カメラの設定状態を表すアイコンなどが表示される。
【００３１】
４３は、ファインダー外液晶表示部で、ファインダー外液晶駆動回路４４を介して、シャッター速度や絞りをはじめとするカメラの様々な設定値が表示される。
【００３２】
操作部７０は、ユーザーからの操作を受け付ける入力部としての各種操作部材である。操作部７０には、少なくとも以下の操作部が含まれる。レリーズ釦２０１、メイン電子ダイヤル２０２、サブ電子ダイヤル２０３、電源スイッチ２０４、プロテクト釦２０５、メニュー釦２０６、削除釦２０７、拡大モード釦２０８、再生指示釦２０９、シングル／マルチ切り替え釦２１０、マルチコントローラ２１１。
【００３３】
マイクロコンピュータ４０は、撮像装置２００に含まれる各部を制御する制御部である。マイクロコンピュータ４０は、不揮発性メモリ３８に記録されたプログラムを、揮発性メモリ３９をワークメモリとして展開し、実行することで後述の各種処理を実行する。
【００３４】
図２（ａ）は撮像装置全体２００の正面からの外観形状を示した図であり、図２（ｂ）は撮像装置全体２００の背面からの外観形状を示した図である。図１と共通する部分は、同じ記号で示している。
【００３５】
レリーズ釦２０１は、撮影の準備指示及び撮影指示を行うための釦であり、釦を半押しすることで、被写体の輝度の測定や合焦を行う。また、釦を全押しすることでシャッターが切られ画像の撮影が行われる。
【００３６】
メイン電子ダイヤル２０２は回転操作部材であり、ユーザーは、このメイン電子ダイヤル２０２を回すことでシャッター速度や絞りなどの設定値の設定を行ったり、拡大モードでの拡大倍率の微調整を行う。
【００３７】
サブ電子ダイヤル２０３は回転操作部材であり、ユーザーは、このサブ電子ダイヤル２０３を回すことで絞りや露出補正などの設定値の設定を行ったり、画像表示状態での画像の１枚送り操作などを行う。
【００３８】
電源スイッチ２０４は電源のＯＮ及びＯＦＦを行うための操作部材である。
【００３９】
プロテクト釦２０５は、撮像装置内外の記録媒体に保存されている画像に対して、プロテクトやレーティングといった処理を施す為の釦である。
【００４０】
メニュー釦２０６は、各種設定画面を液晶表示部２５に表示させる為の釦である。
【００４１】
削除釦２０７は、撮像装置内外の記録媒体に保存されている画像に対して、削除を指示する釦である。
【００４２】
拡大モード釦２０８は、再生状態において、拡大モードへの遷移指示（拡大モードの開始指示）、及び拡大モードから抜ける指示（拡大モードの終了指示）を行う操作を受付ける釦である。
【００４３】
再生指示釦２０９は、撮像装置内外の記録媒体に保存されている画像を液晶表示部２５に表示させる釦である。
【００４４】
測距点選択釦２１０は、オートフォーカスの開始ポイントである測距点を選択するモードに入る為の釦である。
【００４５】
マルチコントローラ２１１は、オートフォーカスの開始ポイントである測距点の設定を行ったり、拡大画像表示状態において、拡大枠（拡大している範囲）の移動を行ったりするための複数方向に操作可能な操作部材である。
【００４６】
決定釦２１２は、各種設定画面上などで、各項目を設定した後の確定を行う為の部材である。また、機能の割り当てなどによっては、この釦を押下しながらメイン電子ダイヤル２０２を回すことで、各種設定を変更することも可能となる。さらに、この決定釦２１２は、サブ電子ダイヤル２０３の中央に配置される。こうすることで、撮像装置を大きくすることなく決定釦２１２を配置することが出来る。
【実施例１】
【００４７】
以下、図３、図５を参照して、本発明の第1の実施例による、サブ電子ダイヤル２０３の機能処理判定について説明する。
【００４８】
まずステップＳ１００で、メインＳｗ２０４がＯｎ状態であるか否か判定し、Ｏｎ状態ならば、ステップＳ１０２に進み、Ｏｎ状態でなければ終了する。
【００４９】
ステップＳ１０１では、不揮発性メモリ３８から、決定釦２１２に割り当てられている機能を読みだす。機能の割り当ては、図５（ａ）に示すＧＵＩ画面より選択可能となる。本実施例では、決定釦２１２を押下しながら、メイン電子ダイヤル２０２を回すことで露出補正が変更可能となる機能が割り当てられた場合について説明する。
【００５０】
ステップＳ１０２では、不揮発性メモリ３８から、撮影モードを取得する。
【００５１】
ステップＳ１０３では、サブ電子ダイヤル２０３が操作されたか否か、判定し、操作されていれば、ステップＳ１０４に進み、操作されていなければ終了する。
【００５２】
ステップＳ１０４では、決定釦２１２が押下されているか否か判定し、押下されていればステップＳ１０５に進み、押下されていなければステップＳ１０７に進む。
【００５３】
ステップＳ１０５では、ステップＳ１０２で取得した撮影モードがマニュアルモードであるか否か判定し、マニュアルモードであれば、ステップＳ１０６に進み、マニュアルモードでなければステップＳ１０７に進む。
【００５４】
ステップＳ１０６では、ステップＳ１０１で取得した決定釦２１２に割り当てられた機能が、決定釦２１２を押下しながらメイン電子ダイヤル２０２を回すことで設定値を変更する機能であるか否か判定し、設定値を変更する機能であれば何もせず終了し、そうでなければステップＳ１０７に進む。何もせずに終了することで、サブ電子ダイヤルの機能は実行されなくなるので、誤操作を防ぐことが可能となる。
【００５５】
ステップＳ１０７では、サブ電子ダイヤル２０３に割り当てられている機能処理を実行する。詳細については、後に詳述する。
【００５６】
次に、図４、図５、図６を参照して、サブ電子ダイヤル２０３の機能処理について説明する。
【００５７】
まずステップＳ２００で、不揮発性メモリ３８から、サブ電子ダイヤル２０３に割り当てられている機能を読みだす。機能の割り当ては、図５（ｂ）に示すＧＵＩ画面より選択可能となる。本実施例では、測光中、サブ電子ダイヤル２０３を回すことでＩＳＯ感度が変更可能となる機能が割り当てられた場合について説明する。
【００５８】
ステップ２０１では、不揮発性メモリ３８から、記憶されている現在のＩＳＯ感度値を読みだす。
【００５９】
ステップＳ２０２では、図６に示されるテーブルより、ステップＳ２０１で読みだしたＩＳＯ感度値に対応するテーブルナンバーを算出する。
【００６０】
ステップＳ２０３では、サブ電子ダイヤル２０３の回転方向が正転方向か否か判定し、正転方向であればステップＳ２０４に進み、反転方向であればステップＳ２０７に進む。
【００６１】
ステップＳ２０４では、ステップＳ２０２で算出したテーブルナンバーをインクリメントする。
【００６２】
ステップＳ２０５では、ステップＳ２０４でインクリメントしたテーブルナンバーがテーブルナンバーの最大値を上回っているか否か判定し、上回っていればステップＳ２０６に進む。
【００６３】
ステップＳ２０６では、テーブルナンバーを最小値に設定する。
【００６４】
ステップＳ２０７では、ステップＳ２０２で算出したテーブルナンバーをデクリメントする。
【００６５】
ステップＳ２０８では、ステップＳ２０７でデクリメントしたテーブルナンバーがテーブルナンバーの最小値を下回っているか否か判定し、下回っていればステップＳ２０９に進む。
【００６６】
ステップＳ２０９では、テーブルナンバーを最大値に設定する。
【００６７】
ステップＳ２１０では、図６に示されるテーブルより、ステップＳ２０４〜ステップＳ２０９までで算出されたテーブルナンバーに対応するＩＳＯ感度値を、新たなＩＳＯ感度値として設定する。
【００６８】
以上のように制御することで、決定釦２１２を押下しながらメイン電子ダイヤル２０２を回して設定変更をしている時に、誤ってサブ電子ダイヤル２０３が回ってしまったとしても、不用意に設定が変わってしまうことが無くなる。
【００６９】
以上、本発明の好ましい実施形態について説明したが、本発明はこれらの実施形態に限定されず、その要旨の範囲内で種々の変形及び変更が可能である。
【００７０】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００７１】
１  絞り、２  絞り駆動回路、３  ＡＦ駆動回路、４  レンズシステム制御回路、
５  レンズ、６  レンズ側通信部、１０  カメラ側通信部、１１  ＡＦセンサー、
１２  ミラー、１３  フォーカシングスクリーン、１４  ペンタプリズム、
１５  ＡＥセンサー、１６  アイピースユニット、
１７  フォーカルプレーンシャッター、１８  光学フィルター、１９  圧電素子、
２０  撮像素子、２１  ＡＭＰ回路、２２  Ａ／Ｄ変換回路、２３  画像処理回路、
２４  液晶駆動回路、２５  液晶表示部、２６  バッファメモリー、
２７  メモリーコントローラ、２８  外部メモリー、２９  インタフェース、
３０  ＡＣ電源部、３１  ２次電池部、３２  タイミング制御回路、
３３  電源種類検知回路、３４  電源状態検知回路、３５  電源制御回路、
３６  シャッター制御回路、３７  光学フィルター振動制御回路、
３８  不揮発性メモリー、３９  揮発性メモリ、４０  マイクロコンピュータ、
４１  ファインダー内液晶表示部、４２  ファインダー内液晶駆動回路、
４３  ファインダー外液晶表示部、４４  ファインダー外液晶駆動回路、７０  操作部
【図１】
2017005329.tif 000003
【図２】
2017005329.tif 000004
【図３】
2017005329.tif 000005
【図４】
2017005329.tif 000006
【図５】
2017005329.tif 000007
【図６】
2017005329.tif 000008